(57)【要約】  順次下塗り処理した印刷基材（１０）及び印刷基材の形成方法を提供する。基材は、１）１つ又は複数のインキ層（３０）が印刷されたフィルム（２０）を提供する工程と、２）プライマー層（４０）をインキ及び／又はフィルムに塗布する工程と、３）プライマー層を乾燥又は硬化させる工程と、４）放射線硬化型ワニス（５０）をプライマー被覆フィルムに塗布する工程と、５）ワニスを硬化させる工程と、によって形成される。
2014534912.tif 000002
【特許請求の範囲】
【請求項１】
基材（図１、２の＃５０、図３、４の＃１５０）であって、
ａ．印刷フィルム（図１、２の＃６０、図３、４の＃１６０）を含み、フィルム（図１、２の＃２０、図３、４の＃１２０）が、インキ（図１、２の＃３０、図３、４の＃１３０）によって被覆されたその表面の全体又は一部を有し、
前記基材が、
ｂ．前記フィルム、前記インキ、又は前記フィルム及び前記インキの双方の少なくとも一部を被覆する顔料非含有プライマー層（図１、２の＃４０、図３、４の＃１４０）と、
ｃ．前記プライマーの一部を被覆する放射線硬化型ワニス（図１、２の＃５０、図３、４の＃１５０）と、を更に含み、
前記プライマーが、前記インキと前記放射線硬化型ワニスとの間における接着を促進することを特徴とする、基材。
【請求項２】
前記フィルムがポリオレフィンフィルムである、請求項１に記載の基材。
【請求項３】
前記フィルムが、ポリエチレン、ポリプロピレン、ポリエステルフィルムからなる群から選択される、請求項１に記載の基材。
【請求項４】
前記フィルムが紙ではない、請求項１〜３のいずれか一項に記載の基材。
【請求項５】
前記インキが水性である、請求項１〜４のいずれか一項に記載の基材。
【請求項６】
前記インキが溶剤系である、請求項１〜４のいずれか一項に記載の基材。
【請求項７】
前記プライマーが水性である、請求項１〜６のいずれか一項に記載の基材。
【請求項８】
前記プライマーが溶剤系である、請求項１〜６のいずれか一項に記載の基材。
【請求項９】
前記インキが溶剤系であり、前記溶剤は、オレフィンアセチルエステル、オレフィンアルコール及びオレフィンオキシエタノールからなる群から選択される、請求項６に記載の基材。
【請求項１０】
前記プライマーが、前記インキ及び前記フィルムの少なくとも一部を被覆する、請求項１〜９のいずれか一項に記載の基材。
【請求項１１】
前記プライマーが、前記放射線硬化型ワニスが施されている前記フィルムの全区域を被覆する、請求項１〜１０のいずれか一項に記載の基材。
【請求項１２】
前記プライマーが、前記放射線硬化型ワニスが施されている前記インキの全区域を被覆する、請求項１〜１１のいずれか一項に記載の基材。
【請求項１３】
前記プライマーが、前記放射線硬化型ワニスが施されている前記フィルム及び前記インキの全区域を被覆する、請求項１〜１２のいずれか一項に記載の基材。
【請求項１４】
前記放射線硬化型ワニスが、顔料を含まない、請求項１〜１３のいずれか一項に記載の基材。
【発明の詳細な説明】
【技術分野】
【０００１】
本発明は、概して、パッケージ、接着テープ、接着及び非接着ラベル及びスリーブ、壁被覆、表面被覆、表面ライニング、装飾テープ、ポーチ、封筒、ラップ、並びにラベルを形成するために使用される印刷基材に関する。特に、本発明は、順次下塗り処理した印刷基材に関する。
【背景技術】
【０００２】
消費財を消費者に供給するのに様々な種類のパッケージがある。多くの製品に関して、パッケージは、製品の移送及び保管の実用的手段として機能するだけでなく、売り手と消費者との間の通信リンクとしての役割も果たす。ラベル表示、様式的な図形、色及びコントラストの使用、並びに触感及び感触などの指標は全て、消費者が所望する製品を選択するのを補助し、消費者と消費者が購入する製品のブランドとの間の強力な結びつきを構築し得るシグナルである。
【発明の概要】
【発明が解決しようとする課題】
【０００３】
消費者への視覚的インパクトを増大させるために、特別な包装及びラベルが作成されてきた。ホログラフィック効果など、いくつかの視覚的効果により、強力な視覚的インパクトが得られるが、製造費も高価である。このため、依然として、より経済的なコストで、強力な視覚的インパクトを与える包装が必要である。
【課題を解決するための手段】
【０００４】
順次下塗り処理した印刷基材及び印刷基材の形成方法を提供する。結果として得られる印刷基材により、製品包装に強力な視覚的インパクトを与えることができる。基材は、１）１つ又は複数のインキ層が印刷されたフィルムを提供する工程と、２）プライマー層をインキ及び／又はフィルムに塗布する工程と、３）プライマー層を乾燥又は硬化させる工程と、４）放射線硬化型ワニス層をプライマー被覆フィルムに塗布する工程と、５）ワニスを硬化させる工程と、によって形成される。
【図面の簡単な説明】
【０００５】
本明細書は、本発明を形成するとみなされる主題を特に指摘して明確に請求する特許請求の範囲をもってまとめられるが、本発明は、添付の図面と関連させた以下の説明から更によく理解されると考えられる。
【図１】印刷層がフィルムとプライマー層との間にある順次下塗り処理した印刷基材を示した断面図である。
【図２】図１の順次下塗り処理した印刷基材を示した分解断面図である。
【図３】フィルム層が印刷層とプライマー層との間にある順次下塗り処理した印刷基材を示した断面図である。
【図４】図３の順次下塗り処理した印刷基材を示した分解断面図である。
【０００６】
添付の図面は、任意の寸法に関する尺度を示すものではない。一般に、基材の厚さに比して、インキ、プライマー、又は紫外線ワニスの厚さは、いかなる塗布であっても薄い。添付の図面は、明確にするために、基材の厚さに比して、インキ、プライマー、及び紫外線ワニスの塗布厚さが非常に厚くなるように示す。添付の図面では、基材の厚さは、ほとんどの用途における基材の厚さよりも非常に厚くなるように示す。添付の図面では、インキ、プライマー、及び紫外線ワニスの塗布厚さは、ほとんどの用途におけるこれらの厚さより、非常に厚くなるように示す。
【発明を実施するための形態】
【０００７】
本発明は、順次下塗り処理した印刷基材に関する。本発明の利点は、印刷基材を使用できる実質上全ての用途において享受され得る。印刷基材は、製品包装、容器、壁紙、固定テープ、装飾テープ、食品用ラップ、紙製品、化学雑巾などに使用できる。本発明は、製品包装の好ましい実施形態として図に関して、本明細書において開示する。
【０００８】
本明細書で使用するとき、用語「基材」は、その上に印刷することができる任意の材料を指す。基材は、プラスチック、プラスチックフィルム、布地、紙、ポリマーフィルム、不織布ウェブ又は布地、織布ウェブ又は布地などの材料を含むが、これらに限定されない。織布ウェブ及び不織布ウェブは、単一成分繊維、二成分系繊維、多成分繊維、毛管繊維などから形成できる。基材はまた、低密度ポリエチレンと、線状低密度ポリエチレン、メタロセン、エチレンビニルアセテート、サーリン、ポリエチレンテレフタレート、二軸延伸ポリプロピレン、及びナイロンとのブレンドのインフレーションフィルム又はキャストフィルム材料を含む。基材は、２枚以上の基材が共に積層されていてもよい。基材は、金属化されていてもよい。基材は、着色されていてもよい。基材は、透明であってもよい。基材は、不透明であってもよい。
【０００９】
本明細書で使用するとき、用語「フィルム」は、消費財用のバッグ及びポーチのパッケージ並びにそれ自体が消費財の一部であるパッケージでの使用に好適な厚さを有するフィルムを示す。好ましくは、フィルムは、例えば、フィルム厚さが約１０〜約２５０マイクロメートルである薄フィルムである。薄フィルムは、ポリオレフィン樹脂から作られてもよい。構成成分の多くの異なるブレンドがポリオレフィンに使われ、構成成分は強度及び不透明度などの様々な特性に対して選択される。ポリエチレン（例えば、低密度ポリエチレンＬＤＰＥ、線状低密度ポリエチレンＬＬＤＰＥ、高密度ポリエチレンＨＤＰＥ、中密度ポリエチレンＭＤＰＥ、メタロセンポリエチレンｍＰＥ、エチル酢酸ビニルＥＶＡ、及びそれらの混合物）及びポリプロピレン、並びにそれらのブレンドが、薄フィルムを製造するのに使用されることが多い２種の材料である。薄フィルムは、吹き込みフィルム、鋳造フィルム、及び押出しベースプロセスを用いて製造することができる。前述の薄フィルムはいずれも、次に重合される生物由来（部分又は全体）の重合体又は単量体を含むことができる。前述の合成ポリマーのいずれかは、再生可能資源から誘導されたモノマーと非再生可能資源（例えば、石油）から誘導されたモノマーとの組み合わせを使用して形成されてもよいことを認識する必要がある。
【００１０】
可撓性フィルムは、フィルムの個々のシート若しくは断片の形態、又はフィルムの連続ウェブの形態で提供されてもよい。フィルムは、材料の巻取りロールとして提供されてもよい。提供されるフィルムは、第１面及び第２面を有するとして記載されることができる。提供されるフィルムの寸法は、ウェブの厚さ寸法が、提供されるフィルムの長さ又は幅よりも実質的に小さいようなものである。フィルムウェブの巻取りロールをほどき、変換プロセスに通過させてもよく、このプロセスは、ウェブのロールをほどき、ウェブを運び、プロセス工程を通して移動するウェブの制御において所望の張力を維持することを目的としたウェブ取り扱い器具を使用する、開示した方法の工程を含む。用語「薄フィルム」又は「プラスチックフィルム」又は「可撓性フィルム」又は単に「フィルム」は、交換可能に使用され、本明細書では本質的に熱可塑性材料から作製された任意のフィルムを意味する。
【００１１】
本明細書で使用するとき、用語「インキ」は、一般的な印刷プロセスを介して基材上に施された材料を示し、その主要機能は、色の搬送である。インキは、液体形態であることが多く、少なくとも１種の顔料又は染料を含む。化学的に、多くのインキは、有機顔料又は無機顔料の懸濁液であり、安定化のためにポリマー樹脂に組み込まれている。これらの系の担体は、溶剤である。溶剤は、水、炭化水素又はこれらの混合物（例えばアルコール、エステル、アセテート、エーテルなど）であってよく、熱又は赤外線（ＩＲ）を介して乾燥される。
【００１２】
インキは、グラビア印刷、フレキソ印刷、並びにオフセット印刷、凸版印刷、石版印刷、プレートレス印刷、ポストプレス印刷、デジタル印刷及びスクリーン印刷を含むがこれらに限定されない、当業者に周知の任意の方法を用いて配置できる。グラビア印刷では、液体インキが、金属画像担体から基材に直接転写される。画像は、画像担体基材の表面より低い位置にある。フレキソ印刷では、液体インキが、感光性樹脂画像担体から基材に直接転写される。画像は、画像担体基材の表面の上に隆起される。オフセット印刷では、ペーストインキが、基材と薄金属画像担体との中間であるゴム「ブランケット」から基材に間接転写される。プレートレス印刷の例には、電子印刷、インキジェット印刷、マグネトグラフィー、イオンデポジション印刷、直接帯電式蒸着印刷、及びＭｅａｄ社のサイカラー写真カプセルプロセスなどが挙げられる。
【００１３】
溶剤系インキは、熱乾燥できる第１インキ層がフィルムに塗布されると、その中に含まれている溶媒は、蒸発できるか、又は蒸発を引き起こすことができる。上述の特許に記載されているような印刷システムを使用すると、次のインキ層を塗布するまでの時間が短縮されるように、熱又は押込空気によって溶剤の蒸発が発生することが好ましい。第１インキ層を塗布すると、その後のインキ層（存在する場合には）はいずれも、同様の標準的な方法で塗布される。
【００１４】
本明細書で使用するとき、「放射線硬化型」は、材料を電離放射線に曝露することを指す。これにより、材料を重合化及び／又は架橋する。本発明のワニスでは、硬化することにより、基礎となる印刷マーキング面上に硬化型「シェル」が提供される。電離放射線の有用なタイプには、紫外線、電子線（電子ビーム）、Ｘ線、コロナ放電など、かつて好ましいとされていたものが挙げられる。源に関係なく、電離放射線の線量は、ワニスと重合化し、架橋するほど十分に高いが、基礎となる印刷マーキング又はフィルム表面を劣化させるほど高くはない線量であることが好ましい。
【００１５】
本明細書で使用するとき、用語「印刷フィルム」は、フィルムの片面又は両面に配置された１つ又は複数のインキ層を有するフィルムを指す。フィルム上のインキを減少させるには、一般的に、被印刷材料上でインキ粒子の転送、分配、及び乾燥を行う一組の印刷シリンダー及びローラーを用いて、連続モードで行う。フレキソ印刷、グラビア印刷、スクリーン印刷、デジタル印刷、及びオフセット印刷などの様々な印刷技術が存在するが、これらに限定されない。
【００１６】
本明細書で使用するとき、用語「プライマー」は、一般的な印刷プロセスを用いて基材上に施される材料を指し、その主要な機能として、下部の材料層とその後に印刷された層との間に（ａ）接着（ｂ）防壁を作り出す。この場合、「接着」を促進させるとは、材料が互いに結合し、正常な使用下において分離しないように、下部の材料層とその後に印刷された層との間にフィルムの結合を作り出すことを意味する。化学的に、プライマーは、溶媒マトリックス（いくつかの炭化水素の混合物）でのポリマー樹脂の懸濁液、又は、水中におけるポリマー樹脂の懸濁液である。プライマーは、重合化（熱乾燥のみ）の有無にかかわらず、一液系又は二液系であってよい。化学的に（例えばイソシアネート及びウレタン）又は放射線（ラジカル放射線源又はカチオン放射線源、紫外線、電子ビーム又はその他）によって、重合化を引き起こすことができる。
【００１７】
本明細書で使用するとき、用語「ワニス」は、通常、液体の顔料非含有材料を指す。一般に、ワニスは３つの主要成分（１）水溶性であり得る又は溶媒中に存在し得る結合剤である樹脂、（２）樹脂を溶解する溶剤又は水、及び（３）添加物を有する。好ましくは、ワニスは紫外線硬化型であり、これは、紫外線を用いて硬化されることを意味する。
【００１８】
本明細書で使用するとき、用語「着色基材」は、着色された基材を指す。
【００１９】
本明細書で使用するとき、用語「低ゲージ」は、２５０マイクロメートル未満の厚さを有する基材を指す。
【００２０】
本明細書で使用するとき、用語「指標」は、情報を伝達するために使用できるマーク又は表示を指す。伝達される情報とは、製造元、パッケージ内の製品の特性、パッケージ内の製品数量、パッケージ内の製品の品質又はその他のあらゆる情報の表示であり得る。指標は、特定の建物用断熱材の製造元を示すために薄いピンクなどの単色とすることができる。指標は、特定の小売店舗を示すために、射手の訓練に使用される、的に似た図形などの記号であってよい。指標は、任意の言語での文章又は言語コミュニケーションの代表的な言語を組み合わせた文章であってよい。指標には、スコッチキルトによく見られるような色、線又はこれらの組み合わせのパターンであってよく、また、粘着テープの製造元を示すためにも使用可能である。指標は、特定のコンピューターブランドの製造元を示すアップルなど、有形物の図であってもよい。指標は、有形物又は想像上の構成又はあらゆる種類のマーキングを表現するアートワークであってもよい。１つの単色ドットも指標になり得る。パッケージを形成するために使用した材料がかさかさと音を立てるとき、その種類、質感、嗅覚又は音が指標となり得る。指標は、前述の指標のいずれか及び全ての組み合わせであってよい。
【００２１】
本明細書で使用するとき、用語「クリーニング製品」は、洗剤、液体形態若しくは粉末形態の洗濯洗剤、液体形態若しくは粉末形態の食器洗い機用洗剤、又はクリーニングに使用される他の任意の液体、懸濁液、エマルション、粉末、若しくは顆粒を指す。
【００２２】
本明細書で使用するとき、「第１面」及び「第２面」は、基材表面などの主要平面を指す。例えば、ノート用紙の標準的なシートは、その上に書き込むことができる第１面及び第２面を有すると考えてよい。第１面及び第２面の表面は、平面若しくは曲面又は平面と曲面とを組み合わせたものであってよい。
【００２３】
本発明は、特定のカテゴリー範疇にある消費者製品に限定されるものではないが、本発明が有用である代表的な、非限定的な製品カテゴリーのリストには、発汗抑制剤、ベビーケア製品、コロン、市販製品（消費者向けの消費者製品に類似する、卸売、工業用、及び商業用市場の類似体を含む）、化粧品、防臭剤、食器ケア製品、女性用保護製品、ヘアケア製品、ヘアカラー製品、ヘルスケア製品、住居用洗剤、失禁ケア製品、洗濯製品、口腔ケア製品、紙製品、パーソナルクレンジング、使い捨て吸収性物品、ペット用健康及び栄養製品、処方薬、高級香水、スキンケア製品、スナック及び飲料、特殊布地ケア製品、剃毛及びその他の育毛管理製品、小型電気製品、装置、及び電池が挙げられる。様々な製品形態が、これらの製品カテゴリーそれぞれの範囲に含まれ得る。例示的な製品形態及びブランドが、Ｔｈｅ  Ｐｒｏｃｔｅｒ  ＆  Ｇａｍｂｌｅ  Ｃｏｍｐａｎｙのウェブサイトｗｗｗ．ｐｇ．ｃｏｍ、及びそのサイト上に見出されるリンク先のサイトに記載されている。上に列挙したもの以外の製品カテゴリーの一部である消費者製品もまた、本発明によって考慮され、並びに、上述で確認したウェブサイトに開示されたもの以外の別の製品形態及びブランドもまた、本発明によって包含されることが理解されよう。
【００２４】
洗濯製品カテゴリー内の代表的な製品としては、洗剤（粉末、液体、タブレット、及びその他の形態を含む）、漂白剤、コンディショナー、柔軟剤、静電気防止製品、及びリフレッシャー（液体リフレッシャー及び乾燥機用シートを含む）が挙げられる。口腔ケア製品カテゴリー内の代表的な製品としては、歯磨剤、フロス、歯ブラシ（手動及び電動形態を含む）、口内洗浄剤、歯肉ケア製品、歯用ホワイトニング製品、及びその他のデンタルケア製品が挙げられる。代表的な女性用保護製品としては、パッド、タンポン、陰唇間製品、及びパンティライナーが挙げられる。代表的なベビーケア製品としては、おむつ、ワイプ、よだれかけ、おむつ交換及びベッドマット、並びに手洗い用フォーミングハンドソープが挙げられる。代表的なヘルスケア製品としては、緩下剤、繊維サプリメント、口腔及び局所鎮痛剤、胃腸薬製品、呼吸器及び咳／風邪薬製品、熱送達製品、及び水浄化製品が挙げられる。代表的な失禁ケア製品としては、おむつ、パッド、及びライナーが挙げられる。ベビーケア製品、失禁ケア製品及び女性用保護製品は、尿及び／若しくは便失禁の管理、体外排泄物の吸収若しくは保持、トイレトレーニング、並びに／又は皮膚保護の目的でマーケティングが行われ得る。代表的な紙製品には、トイレットペーパー、ペーパータオル、ティッシュペーパーが挙げられる。代表的なヘアケア製品としては、シャンプー、コンディショナー（洗い流し形態及び洗い流さない（leave-in）形態を包含する）、並びに整髪助剤が挙げられる。代表的な住居用ケア製品としては、スイーパー製品、床掃除製品、木製床用クリーナー、抗菌性フロアクリーナー、布地及び空気リフレッシャー、及び洗車用製品が挙げられる。スキンケア製品には、ボディウォッシュ、顔用クレンザー、ハンドローション、保湿剤、コンディショナー、収斂性化粧水、表面剥離製品、微小皮膚研磨及びピーリング製品、皮膚若返り製品、老化防止製品、マスク、紫外線保護製品、並びにスキンケア用パフ、ワイプ、ディスク、布、シート、用具及び装置（スキンケア組成物の有無を問わず）が挙げられるが、これらに限定されない。
【００２５】
情報伝達は、サービスに関して使用することができる。代表的なサービスとしては、洗車、ドライクリーニング、ヘアサロン、ヒト及びペット用の美容室及びグルーミングサロン、洗濯サービス、飲食サービス（コーヒーサービスを含む）、理容室、カーペット及びフロアクリーニング及び洗浄サービス、家政婦及び清掃サービス、並びに建築装飾サービス及び製品が挙げられる。
【００２６】
本発明は、順次下塗り処理した印刷基材の断面を検査することによって、最もよく理解できる。順次下塗り処理した印刷基材１０の断面を図１に示す。順次下塗り処理した印刷基材１０は、基材２０、１種類又は複数のインキ層３０、プライマー層４０、及び紫外線ワニス５０を含んでもよい。製品の包装に使用される順次下塗り処理した印刷基材は、外面及び内面を有すると記述できる。外面とは、消費者に面するパッケージの表面である。内面とは、パッケージ内に含まれる製品に面するパッケージの表面である。
【００２７】
図１は、順次下塗り処理した印刷基材１０を示した断面図である。図１に示すように、１つ又は複数のインキ層３０は、基材２０上に配置できる。それと共に、基材２０及び１つ又は複数のインキ層３０は、印刷基材６０を形成できる。図１に示すように、第１塗布は、１つ又は複数のインキ層３０であってよい。プライマー４０は、印刷基材６０上に配置できる。紫外線ワニス５０は、プライマー４０上に配置できる。
【００２８】
基材２０は、消費財の包装に使用されるいくつかの種類の可撓性フィルムであり得る。１つ又は複数のインキ層３０は、例えば、Ｓｉｅｇｗｅｒｋ（ジークブルク、ドイツ）から入手可能な印刷インキシリーズＮＣ  １１６−８又は類似品のインキなど、様々なインキから選択できる。プライマー４０は、ＩＮＸ社（ウェストシカゴ）から入手可能なＩＮＸ  １４２１０６３であってよい。紫外線ワニス５０は、ＩＮＸ社（ウェストシカゴ）から入手可能なＩＮＸ紫外線ワニス１３９６８９４であってよい。
【００２９】
基材２０は、任意の厚さであってよい。好ましくは、基材２０の厚さは６０００マイクロメートル未満である。更に好ましくは、基材２０の厚さは１０００マイクロメートル未満である。更に好ましくは、基材２０の厚さは５００マイクロメートル未満である。更に好ましくは、基材２０の厚さは２５０マイクロメートル未満である。最も好ましくは、基材２０の厚さは１００マイクロメートル未満である。
【００３０】
ポリマーフィルム基材については、基材２０の厚さは、好ましくは、２５０マイクロメートル未満である。更に好ましくは、ポリマーフィルム基材での基材２０の厚さは、１５０マイクロメートル未満である。最も好ましくは、ポリマーフィルム基材での基材２０の厚さは、１００マイクロメートル未満である。
【００３１】
図２は、図１の順次下塗り処理した印刷基材１０を示した分解断面図である。
【００３２】
図３は、順次下塗り処理した印刷基材１１０を示した断面図である。図３に示すように、１つ又は複数のインキ層１３０を基材１２０上に設置できる。それと共に、基材１２０及び１つ又は複数のインキ層１３０は、印刷基材１６０を形成できる。図３に示すように、第１塗布は、１つ又は複数のインキ層１３０であってよい。プライマー１４０は、印刷基材１６０上に、１つ又は複数のインキ層１３０を伴わずに印刷基材１６０の面上に配置できる。紫外線ワニス１５０は、プライマー１４０上に配置できる。図３に示す順次下塗り処理した印刷基材１１０は、パッケージ内に形成でき、印刷基材は、印刷基材１６０がパッケージの内面上になるような向きにすることができる。別の方法では、印刷基材１６０がパッケージの外装となってもよい。
【００３３】
図４は、図３の順次下塗り処理した印刷基材１１０を示した分解断面図である。
【００３４】
本発明の積層体及び単層フィルムは、魅力的なパッケージを消費者ニーズに適合させるのに特に好適である。例えば、パッケージは、印刷効果、金属化効果、及びホログラフィー効果などの視覚的特徴を付与されてもよい。
【００３５】
基材フィルム表面へのインキの接着性を向上させるために、印刷前に基材フィルム表面を処理又は改質することができる。表面処理及び表面改質には、ｉ）コロナ処理、プラズマ処理及び火炎処理などの機械的処理、並びにｉｉ）プライマー処理が挙げられる。表面処理及び表面改質は、当業者には既知である。
【００３６】
表１にいくつかの好ましい材料及び加工条件を示す。
【００３７】
【表１】
2014534912.tif 000003
【００３８】
本発明の「発明を実施するための形態」で引用した全ての文献は、関連部分において本明細書に援用するが、いずれの文献の引用もそうした文献が本発明に対する先行技術であることを容認するものとして解釈されるべきではない。この文書における用語のいずれかの意味又は定義が、参照することにより組み込まれる文献における用語のいずれかの意味又は定義と矛盾する範囲については、本文書においてその用語に与えられた意味又は定義が適用されるものとする。
【００３９】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の「特許請求の範囲」で扱うものとする。
【図１】
2014534912.tif 000004
【図２】
2014534912.tif 000005
【図３】
2014534912.tif 000006
【図４】
2014534912.tif 000007
【国際調査報告】
2014534912.tif 000008
2014534912.tif 000009
2014534912.tif 000010